(57)【要約】本発明は、容器のネック部に連結されるよう設計されたキャップに関する。該キャップは内側本体（１）と内側本体（１）の周りに連結した外側本体（２，２’）とを有し、外側本体（２，２’）を回転することにより外側本体が内側本体（１）に対して軸方向に移動するようになっている。内側本体（１）は複数の脚部（８）に断片的底部を有する外周スカート（７）を有する。脚部（８）は上方に収束する傾斜母線（１０）を有する円錐台形状をなす外側表面を有し、内表面は円周中空部を画成する凸部（１１）を有する。キャップは、内側本体（１）に対する外側本体（２）の回転を阻止するためのシーリングデバイス（１４）を有する。
2019523191.tif 000002
【特許請求の範囲】
【請求項１】
容器(４)のネック部（３）に係合するよう構成したキャップであって、
−該キャップは内側本体（１）と内側本体（１）の周りに連結した外側本体（２，２’）とを有し、外側本体（２，２’）を回転することにより外側本体が内側本体（１）に対して軸方向に移動するようになっており；
−内側本体（１）は数個の脚部（８）に断片的底部を有する外周スカート（７）；
−脚部（８）は上方に収束する傾斜母線（１０）を有する円錐代形状をなす外側表面を有し；及び
−内表面は円周溝部を画成する凸部（１１）を有することを特徴とするキャップ。
【請求項２】
内側本体（１）と外側本体（２，２’）は互いに補完する雄部材（５）と雌部材（６）とを有し、雄部材（５）は雌部材（６）の内に入ることを特徴とする請求項１に係るキャップ。
【請求項３】
雄部材は、内側本体（１）と一体とされ、雌部材(６)は外側本体（２，２’）上に位置していることを特徴とする請求項２に係るキャップ。
【請求項４】
雌部材（６）は外側本体の環状内表面（２Ａ）内に位置するヘリカル状の移動路の内部溝からなり、一方雄部材（５）は内側本体（１）の外表面から突出する突部からなることを特徴とする請求項２あるいは３のいずれかに係るキャップ。
【請求項５】
雄部材（５）はヘリカル路に沿う角度付断片突部に関連していることを特徴とする請求項４に係るキャップ。
【請求項６】
雄部材（５）は円筒状突部であることを特徴とする請求項４に係るキャップ。
【請求項７】
脚部（８）は外側に突出する末端の突部（８ａ）で覆われた縁部を有することを特徴とする請求項１に係るキャップ。
【請求項８】
キャップは内側本体（１）に対する外側本体（２）の回転を阻止するためのシーリングデバイス（１４）を有し、該シーリングデバイス１４は外側本体の貫通窓（１６）と符合して位置させたヒンジ支承フランジ（１５）を有し、該ヒンジ支承フランジは少なくともヒンジ支承ヒンジ（１７）によって外側本体（２，２’）に結合されていることを特徴とする請求項１に係るキャップ。
【請求項９】
ヒンジ支承フランジ（１５）は２つの対向フィン（１８）を有し、ヒンジ支承フランジ（１５）の固定位置において対向フィンは雄部材（５）の端面（５ａ）に対向して、内側本体（１）に対して外側本体（２）が回転するのを阻止することを特徴とする請求項１，３及び８に係るキャップ。
【請求項１０】
ヒンジ支承フランジ（９）の対向フィン（１８）は貫通窓（１６）の２つの対向面に当接する突部（１９）を有することを特徴とする請求項９に係るキャップ。
【請求項１１】
外側本体（２）は環状リング形状の構造を有することを特徴とする請求項１に係るキャップ。
【請求項１２】
外側本体（２）は環状構造を有し、該環状構造はベース部（２０）により該環状構造の一端部が閉止され、内部の延長部は内側本体（１）の上部ベース部（１ａ）に対向する下縁部（２１ａ）を有する（２１）であることを特徴とする請求項１に係るキャップ。
【請求項１３】
内部延長部（２１）は筒状形状を有することを特徴とする
請求項１２に記載のキャップ。
【請求項１４】
プラグの内側本体（１）は外周スカート（７）と同心円上に配置された内側環状隔壁（２２）を含み、内側の環状隔壁（２２）と外周スカートの間に底部（２３ａ）を有する環状溝部（２３）が形成されることを特徴とする請求項１に係るキャップ。
【発明の詳細な説明】
【技術分野】
【０００１】
本発明は、本明細書の発明の名称に示すとおり、キャップに関し、該キャップは、例えば、ワインや他のガス化製品及び飲み物等の飲料を入れたボトルタイプの容器のネック部に取り付けるように意図され、本発明は、本発明を使用することができるよう意図され、キャップは容器を開ける前及び後の両方において封止手段の回転を阻止し閉止するという有用性を有する特有のシーリングデバイスを含む。
【背景技術】
【０００２】
容器先端を封止するものとしてコルク栓、プラスチック製の栓、金属製ボウル形状の蓋等の様々なタイプの栓が知られており、後者のカップ形状の栓は容器の口部と接触して、容器を確実に封止する弾性材料のフロントリングあるいはディスクを有する。
【０００３】
現在、ビンあるいは容器をプラスチック製キャップにおいて初めて開ける時、プラスチック製キャップに結合しているポイント部を壊すことによって、封止リングを分離する。
【０００４】
次に該シールリングをビンのネック部の隣に保持し、シールリングをキャップから離して置いて、ボトルは空いていることを示す。
【０００５】
市場のプラスチック製の栓は内側のねじ部により機能し、（例えば、腐食性液体用の）他の安全プラグはねじ部を有し、回転させてティー上（ｏｎ  ｔｈｅ  ｔｅｅ）に押し付けると、キャップアセンブリーの一部によりボトルを開いて口部を開口する。
【発明の概要】
【発明が解決しようとする課題】
【０００６】
本発明の課題を達成し、上記欠点を回避する。
【課題を解決するための手段】
【０００７】
本発明は、パッケージのネック部に連結するように構成されたプラグを提案するもので、ネック部はその外側に外周肩部を有する。
【０００８】
本発明のキャップは、内側本体と内側本体の周りに結合された外側本体を有し、外側本体を回転させると内側本体に対して軸方向に移動するようになっている。
【０００９】
本発明のキャップの内側本体１は数個の脚部に断片的な底部を有する外周スカート含み、該脚部は外側に突出する端部リブによってキャップされている端部縁部を有する。
【００１０】
脚部は、さらに上方に収束する傾斜した母線を含む円錐台形状の外表面を有し、また外周肩部に対応する円状の溝部を画成する凸部を有する内表面を有し、脚部の該凸部は、キャップの閉止位置で該外周肩部に係合する。
【００１１】
また、キャップは内側本体に対して外側本体の回転を阻止するための封止デバイスを有する。
【００１２】
内側本体及び外側本体２は互いに相補的な雄部材と雌部材とを有し、雄部材は雌部材に嵌合するようになっている。
【００１３】
一の実施態様では、雄部材は内側本体と一体とされ、雌部材は外側本体に位置させている。
【００１４】
雌部材は外側本体の環状内表面に位置する内側のヘリカル路スロット部を有し、雄部材は内側本体の外表面から突出する突部を有する。
【００１５】
一つの実施態様では、雄部材は円筒状の突出部となっており、他の実施態様では、雄部材はヘリカル路に沿う角度を有する断片突出部となっている。
【００１６】
シーリングデバイスは外側本体の貫通窓に対応して位置させたヒンジ支承フランジを有し、ヒンジ支承フランジは少なくとも１つのヒンジ支承ヒンジによって外側本体に連結されている。
【００１７】
ヒンジ支承フランジは対向する翼部を有し、ヒンジ支承フランジの固定位置では、対向する翼部は雄部材の端面に対向し、外側本体が内側本体に対して回転するのを阻止している。
【００１８】
ヒンジ支承フランジの固定翼部は、シーリングデバイスのヒンジ支承フランジがロック位置に位置する場合に貫通窓の２つの裏面に係合する突部を有する。
【００１９】
一つの実施態様では、外側本体は環状リング形状の構造を有し、他の実施態様では、外側本体はベース部によって端部の一方により閉止される環状構造を有し、この場合に、内側延長部は内側本体の頂部ベース部に対向する下方縁部を有し、該内側延長部は円筒形形状を有する。
【００２０】
プラグの内側本体は、外周スカート部に対して同心円状に配置した内側の環状隔壁を有し、内側環状隔壁と外周スカート部の間に環状溝部が形成され、ネック部の上部は容器の口部を画成する環状縁部を有し、ネック部上部は該環状溝部に嵌合し、該環状リムがキャップの内側本体の環状溝部の底部に着座する。
【００２１】
本発明のキャップは、他の材料を破棄することなくプラスチック材料を射出することによって形成する。
【００２２】
シーリングデバイスのヒンジ支承フランジは、キャップの外側本体にヒンジ支承されたジョイントとは別体で、壊すことが出来る第２の接合点を含みヒンジ支承フランジを破壊することができる。
【００２３】
本発明のキャップの重量は実際的に今までに知られているものと同一の重量であり、プラスチック材料の費用は全ての場合にまさに同一であり、本発明のプラグの費用は結局実際半額である。
【００２４】
本発明の新規なプラグは、ねじ部と同時にコルク材料を阻止するもので、本発明は、１００％再利用可能であるが、本発明のプラグには１００％再利用可能でない場合もある。完全に再利用可能とするためには、ポリエチレンを用いる。多くの国で禁止されている、例えばBSFENOLとは異なり、本発明は安全上世界全ての国で許可されている材料に関わる。
【００２５】
本発明のプラグは効果的にガスを保持する点にさらに有用性があり、パッキングプラグでもある。他の点としては、一旦パッケージを開いても、再度使用するプラグとして使用される。理由としては、ネック部、即ちビン等の容器のネック部に対して確実な封止をし、完全に嵌合させることが可能であり、それによりガスが完璧に保持される。
【００２６】
本発明は、第１に本発明のキャップをワイン、即ちヴィナカバ（vena cava）ボトルに適用することに関し、またソフトドリンクやビールを含有するより小さいボトルにも関する。
【００２７】
ドイツや、イタリアやフランス当の国々ではこの種のプラグを要求し始めている。
【００２８】
次に、本明細書をより良く理解させそれと一体な部分を形成するのを容易にするため、本発明を一連の図に関係付けるが、それらは例示的でありかつ限定を意図しない特徴を本発明の目的に沿い示す。
【図面の簡単な説明】
【００２９】
【図１】本発明に係る本発明の目的であるキャップの斜視図である。
【図２】上記図で示す図と類似の斜視図であり、ロックしていない位置のシールデバイスにハイライトを当ててある。
【図３】本発明に係るシールデバイスの詳細な図である。
【図４】本発明において、容器のネック部に連結されたマウスピースの断面図である。
【図５】本発明に係るキャップの断面図であり、上掲の図で示すものと異なる実施態様を示す。
【発明を実施するための形態】
【００３０】
図面において採用した番号を考慮すると、キャップは内側本体１と内側本体１の周りに連結した外側本体２，２’を有し、内側本体１は容器４のネック部３の周りに係合するようになっており、環状リブ３ａによって画成される容器の口部を閉じ、容器４のネック３部がリム３ａで終わっており、環状リム３ａがプラグの内側本体１に対し上部ベース１の内側面の環状部と接触するようになっている。
【００３１】
内側本体１と外側本体２，２’は、互いに補完する雄部材５と雌部材６とを有し、雄部材５は雌部材６内に嵌合するようになっており、外側本体２，２’が回転することによって内側本体１に対して軸方向に移動するようになっている。
【００３２】
外側本体２，２’を一方向に回転すると、口部をシールし内側本体１は容器４のネック部３にロックされ、外側本体２，２’を他方向に回転することによって、内側本体１の固定ロック状態を開放し、キャップ組立体を取り外すことによって、容器４の口部を開放して容器内容物にアクセスできるようになる。
【００３３】
図示する実施態様では、雄部材５は内側本体１と一体とされ、一方雌図材６は外側本体２，２’上に位置しているが、他の実施態様としては、内側本体１に雌部材６を含め、外側本体２，２’に雄部材５を含めても良い。
【００３４】
内側本体１は外周スカート７を含み、外周スカートは互いに溝部９で離間された数個の脚部８に部分的底部を有し、脚部８は内側本体１と一体とした雄部材５に位置されており、脚部８は外側に突出する端部リブ８ａによってカバーされた端縁部を有する。
【００３５】
一連の脚部８は上方収束の傾斜母線１０を有する円錐台形状の外表面を有し、
容器４のネック部３に取り付けた場合に、本発明の封止手段の封止位置において内表面は容器４のネック部３の環状肩部１２に当接し押圧する突部１１を有す。
【００３６】
雌部材６は外側本体２の円筒状内面２ａ上に位置する内側のヘリカル路スロットを有し、一方雄部材５は内側本体１の外表面と一体とされた角度付分割突部を有し、該突部はヘリカル路に沿っている。
【００３７】
他の実施態様では、雄部材５は円筒状の突部を有し、本実施態様では、ヘリカル路に沿っていない。
【００３８】
弾性スナップによって雄部材５を雌部材６の内に係合させて外側本体２，２’を内側本体１に係合させるために、外側本体２を内側本体１上で軸方向に動かし、外側本体２を内側本体１の上方で内側本体の周りに予め２’に位置させ、連結操作の間に、プラグの２つの本体１，２は弾性変形し、内側本体１の上部が雄部材５が位置する外側本体２，２’の一部に入り込むことが可能となる。
【００３９】
図示する実施態様では、キャップはプラスチックを一つのピースに射出して得られ（図１）、始めに外側本体２、２’をその半径方向に延びる部分１３によって内側本体１に取り付け、２つの隣接する外側本体２，２’の環状縁部及び内側本体１とをプラスチック材料によって連結する。
【００４０】
外側本体２，２’を外側本体２が内側本体１に対して軸方向に延びる第１の方向に移動させると、外側本体２，２’は締付け位置の方向に軸方向に移動し、外側本体２，２’の下縁部２ｂが内側本体１の外周スカートを形成する脚部８の外表面に接触し、それによって外側本体２，２’を第１の回転方向に回転させ、該突部が容器４のネック部３の環状肩部１２に係合し押圧するまで突部１１によって画成される環状の溝部を狭くする。
【００４１】
これに対して、外側本体２，２’を外側本体２が内側本体１に対して軸方向に移動する第２の回転方向に動かすと、この動作で、突部１１が容器４のネック部３の環状肩部１２に閉め付けられた状態が徐々に開放され、その結果キャップの固定ロック状態がとける。この際、キャップを容器４のネック部から分離して、容器の内容物にアクセスすることが出来るようになっている。
【００４２】
一方、外側本体２，２’はシーリングデバイス１４を有し、シーリングデバイスは本発明の目的を意図した溝部を有し、固定位置において内側本体１に対して外側本体２，２’が回転するのを阻止し、キャップが容器の口部を封止する位置に位置し、シーリングデバイス１４のもう一方の位置では外側本体２，２’のロック状態から開放される。
【００４３】
シーリングデバイス１４は外側本体２，２’の貫通窓１６に対応して位置させたヒンジ支承フランジ１５を有し、ヒンジ支承フランジ１５は外側本体２、２’の一部でもあるヒンジ支承ヒンジ１７によって外側本体２，２’に取り付けられている。
【００４４】
容器４の口部を封止して閉じた際のヒンジ支承フランジ１５の固定位置においては、外側本体２，２’の回転を阻止してヒンジ支承フランジ１５は内側本体１の雄部材５の一つに係合し、この状態で、ヒンジ支承フランジ１５は貫通窓１６を閉止し、その空間を占める。
【００４５】
この目的のため、図示する実施態様では、ヒンジ支承フランジ１５は２つの対向して形成したフラップ１８を有し、フラップはヒンジ支承フランジ１５の固定位置では雄部材５の端面５ａに対向し、外側本体２が内側本体１に対して回転するのを阻止している。
【００４６】
外側本体２の回転が阻止されない位置に移ると、図３により明瞭に示すように、ヒンジ支承フランジ１５は外側本体の貫通窓１６に嵌合していない。
【００４７】
図示する実施態様では、関連付けした翼部１８はひさしの固定位置を更に確実に維持するのに役立つ突部１９を含んでおり、本発明は本発明の目的に限定されるべく意図され、本発明は突部１９が外側本体２，２’の貫通窓１６の２つの対向する面に接触するヒンジ支承フランジ１５に関し、それにより突部１９は貫通窓１６の背面を押圧することを特徴とする。
【００４８】
図１乃至４において、外側本体２は環状リング形状の構造を有し、一方図５においては、外側本体２’はベース手段によってその端部の一方で閉止される環状構造を有し、延長部２１は筒状形で始まるが、他の形状であっても良い。
【００４９】
内側の延長部２１の下端部２１ａは内側本体１の上ベース１ａの外面に面しており、図５に示す外側本体２’を回転して容器４の口部を閉止する際に、回転の終りには、容器４の口部を更に閉めることによって下端部２１ａは内側本体１の上ベース１を押圧する。
【００５０】
一方、キャップの内側本体１はテーパーを付けた内側環状隔壁２２を有し、容器４のネック部３の内表面に係合するようになっており、その結果内側環状隔壁２２と外側スカート７とで底部２３ａを有する環状溝部２３を形成し、環状溝部には容器４のネック部３の環状縁部３ａが着座する。
【００５１】
始めに、キャップをプラスチック材料を射出することによって得る場合には、ヒンジ支承フランジ１５はヒンジ支承点１７及び壊れることが可能とされ他の接合点を介して外側本体２，２’と一体とされており、ヒンジ支承フランジ１５を外方向に傾斜可能となっている。
【００５２】
容器４のネック部３の環状の肩部１２はラジアル方向に延びる突部２４を有し、突部により該環状肩部１２がぴったりくっつくのを妨げており、キャップが容器４のネック部３の上に連結され、ラジアル上に延びる凸部２４は脚部８をプラグの内側本体１から分離するスロット９に係合し、それにより容器に対してキャップ組立体を確実に旋回ロックすることが可能となっている。
【図１】
2019523191.tif 000003
【図２】
2019523191.tif 000004
【図３】
2019523191.tif 000005
【図４】
2019523191.tif 000006
【図５】
2019523191.tif 000007
【国際調査報告】
2019523191.tif 000008
2019523191.tif 000009
2019523191.tif 000010
2019523191.tif 000011
2019523191.tif 000012
2019523191.tif 000013